(57)【要約】      （修正有）【課題】歩行する様子を変化させて遊ぶことによって、飽きることなく長期間遊ぶことができる歩行用玩具を提供する。【解決手段】歩行玩具は、回転駆動力を出力する駆動源と、駆動源からの回転駆動力を伝達する動力伝達部と、動力伝達部からの回転駆動力により回転される歩行用回転軸４５と、歩行用回転軸の両端それぞれに設けられる回転足部材とされる左右の回転足部材３１，３２を備える。左右の回転足部材３１，３２は、歩行用回転軸４５の軸心に対して垂直方向に突出して形成される足部が歩行用回転軸４５の軸心に対して対向して二箇所に形成されるとともに、回転位置調節手段５０により歩行用回転軸４５回りの回転位置を相対的に調節可能に形成される。【選択図】図２
0003195058.tif 000002
【実用新案登録請求の範囲】
【請求項１】
回転駆動力を出力する駆動源と、
前記駆動源からの前記回転駆動力を伝達する動力伝達部と、
前記動力伝達部からの前記回転駆動力により回転される歩行用回転軸と、
前記歩行用回転軸の両端それぞれに設けられる回転足部材と、
を有し、
前記各回転足部材は、前記歩行用回転軸の軸心に対して垂直方向に突出して形成される足部が前記歩行用回転軸の軸心に対して対向して二箇所に形成されるとともに、回転位置調節手段により前記歩行用回転軸回りの回転位置を相対的に調節可能に形成されることを特徴とする歩行玩具。
【請求項２】
前記各回転足部材の二箇所の前記足部は、一方が露出状態の時には他方が隠蔽状態となるよう形成されることを特徴とする請求項１に記載の歩行玩具。
【請求項３】
前記回転位置調節手段は、前記各回転足部材のうち一方の前記回転足部材における前記歩行用回転軸回りに連続する複数の内向きの凹凸が形成される環状凹凸部と、前記環状凹凸部の内側に設けられて前記歩行用回転軸の垂直外方向に弾発される前記環状凹凸部と係合可能な係合突部と、を有し、
前記係合突部は前記歩行用回転軸に対して相対的に固定され、前記一方の回転足部材は前記歩行用回転軸に対して回動自在に設けられることを特徴とする請求項１又は請求項２に記載の歩行玩具。
【請求項４】
前記動力伝達部は、前記歩行用回転軸と垂直な前記駆動源の出力軸に設けられるウォームギアと、前記ウォームギアと歯合されるウォームホイールと、前記ウォームホイールと歯合される第１ギアと、前記第１ギアと連結されて前記歩行用回転軸に固定される第２ギアと、を有することを特徴とする請求項１乃至請求項３の何れか記載の歩行玩具。
【請求項５】
前記回転足部材の少なくとも一方はカム部を備え、前記カム部に当接されるカムフォロアを有する作動杆を備え、
前記作動杆は、固定支点を有し、前記固定支点を挟んで一方端側に修飾部材が設けられ、他端側に前記カムフォロアが設けられることを特徴とする請求項１乃至請求項４の何れか記載の歩行玩具。
【考案の詳細な説明】
【技術分野】
【０００１】
本考案は、動物等を模した人形を歩行させて楽しめる歩行玩具に関する。
【背景技術】
【０００２】
従来から、動物やロボット、恐竜等を模した人形を歩行させて遊ぶことができる歩行玩具が提供されている。特許文献１に開示される恐竜を模した２足歩行玩具は、モータからの回転駆動力をウォーム歯車やギアにより２つのクランク板に伝達する。クランク板には互いに１８０度位相をずらしたピンが設けられる。このピンには、それぞれ恐竜の足が連結される。従って、モータが回転することにより、恐竜の左右の足が交互に前進して人形は歩行することができる。また、この２足歩行玩具は尾部を有しており、この尾部は、モータが逆転されると左右何れかに偏って歩行面に接する。この場合には、２足歩行玩具は、左右何れかに旋回する。
【先行技術文献】
【特許文献】
【０００３】
【特許文献１】特開２００６−６６２６号公報
【考案の概要】
【考案が解決しようとする課題】
【０００４】
上述の２足歩行玩具の歩行動作は、左右の足がそれぞれ連結される各クランク板のピンが固定であるため、玩具の歩行する様子は一定の歩調で歩行する。従って、歩行に伴う動きが単調なものとなり、玩具で遊ぶ幼児が長期間楽しむことは難しかった。
【０００５】
本考案の目的は、歩行する様子を変化させることによって、飽きることなく長期間遊ぶことができる歩行用玩具を提供する。
【課題を解決するための手段】
【０００６】
本考案に係る歩行玩具は、回転駆動力を出力する駆動源と、前記駆動源からの前記回転駆動力を伝達する動力伝達部と、前記動力伝達部からの前記回転駆動力により回転される歩行用回転軸と、前記歩行用回転軸の両端それぞれに設けられる回転足部材と、を有し、前記各回転足部材は、前記歩行用回転軸の軸心に対して垂直方向に突出して形成される足部が前記歩行用回転軸の軸心に対して対向して二箇所に形成されるとともに、回転位置調節手段により前記歩行用回転軸回りの回転位置を相対的に調節可能に形成される。
【０００７】
また、前記各回転足部材の二箇所の前記足部は、一方が露出状態の時には他方が隠蔽状態となるよう形成される。
【０００８】
また、前記回転位置調節手段は、前記各回転足部材のうち一方の前記回転足部材における前記歩行用回転軸回りに連続する複数の内向きの凹凸が形成される環状凹凸部と、前記環状凹凸部の内側に設けられて前記歩行用回転軸の垂直外方向に弾発される前記環状凹凸部と係合可能な係合突部と、を有し、前記係合突部は前記歩行用回転軸に対して相対的に固定され、前記一方の回転足部材は前記歩行用回転軸に対して回動自在に設けられる。
【０００９】
また、前記動力伝達部は、前記歩行用回転軸と垂直な前記駆動源の出力軸に設けられるウォームギアと、前記ウォームギアと歯合されるウォームホイールと、前記ウォームホイールと歯合される第１ギアと、前記第１ギアと歯合されて前記歩行用回転軸に固定される第２ギアと、を有する。
【００１０】
また、前記回転足部材の少なくとも一方はカム部を備え、前記カム部に当接されるカムフォロアを有する作動杆を備え、前記作動杆は、固定支点を有し、前記固定支点を挟んで一方端側に修飾部材が設けられ、他端側に前記カムフォロアが設けられる。
【考案の効果】
【００１１】
本考案によれば、回転足部材の回転位置を相対的に変更することができる。従って、この歩行玩具は、回転足部材が回転して歩行する際、各回転足部材の足部の回転位置が同じ場合にはパドリングするように歩行し、足部の回転位置が異なる場合には歩行玩具の本体を左右に揺らしながら歩行する。そして、各回転足部材の回転位置の位相差に応じて、歩行玩具が歩行する様子が変化する。このようにして、足部の回転位置を調節することにより様々な歩行態様を楽しむことができる。
【００１２】
そして、この回転足部材の足部は、歩行用回転軸の軸心に対して対向して二箇所に突出形成される。従って、歩行用回転軸を１８０度回転すると足部を歩行面に当接させることができるので、素早くリズミカルな歩行を行う歩行玩具を容易に構成することができる。
【００１３】
また、各回転足部材に設けた二箇所の足部は、交互に露出されることとなるので、歩行玩具の歩行の際には常に左右の足はそれぞれ一本ずつ視認されることとなる。これにより、見た目の違和感のない歩行玩具を提供することができる。
【００１４】
また、回転位置調節手段は、環状凹凸部の凹部に係合突部が係合するように形成される。これにより、回転位置調節手段が設けられた回転足部材を手で回すことにより各回転足部材の回転位置を相対的に異ならせることができるとともに、所定の相互位置で容易に固定しておくことができる。従って、幼児でも簡単に回転足部材の回転位置を調節することができる。
【００１５】
また、動力伝達部はウォームギアやギア等で構成されるので、駆動源の回転駆動力を効率よく確実に歩行用回転軸に伝達することができる。
【００１６】
また、回転足部材にカム部を形成して、このカム部に当接するカムフォロアを有する作動杆に修飾部材を設けた。この修飾部材は、例えば、動物を模した歩行玩具であれば、動物の尻尾等とすることができる。これにより、歩行玩具が歩行する際には、修飾部材が適宜歩行に合わせて搖動される。従って、本考案に係る歩行玩具で遊ぶ幼児はさらに楽しく遊ぶことができる。
【図面の簡単な説明】
【００１７】
【図１】本考案の実施形態に係る歩行玩具の斜視図である。
【図２】本考案の実施形態に係る歩行玩具の駆動機構についての正面図である。
【図３】本考案の実施形態に係る歩行玩具の駆動機構についての図２のＩＩＩ−ＩＩＩ断面図である。
【図４】本考案の実施形態に係る歩行玩具の駆動機構についての図２のＩＶ−ＩＶ断面図である。
【図５】本考案の実施形態に係る２つの回転足部材の回転位置の変化を示し、（ａ）は位相差の無い状態であり、（ｂ）は３０度の位相差のある状態を示し、（ｃ）は９０度の位相差のある状態を示す。
【図６】本考案の実施形態に係る歩行玩具の駆動機構に修飾部材が組み込まれた状態を示す上面図である。
【図７】本考案の実施形態に係る歩行玩具の電源スイッチ機構の動作を示す図であり、（ａ）はＯＮ状態を示し、（ｂ）はＯＦＦ状態を示す。
【考案を実施するための形態】
【００１８】
本考案の実施形態を図に基づいて説明する。図１は歩行玩具１０の全体斜視図である。本実施形態に係る歩行玩具１０は、犬を模したものである。歩行玩具１０の内部には、歩行玩具１０を歩行させるための駆動機構３０が備えられている。駆動機構３０により、前足となる左右の回転足部材３１，３２が回転駆動される。左右の後足１１は、歩行玩具１０の胴体部分に搖動自在に設けられている。歩行玩具１０の口部からは舌部材１７が突出され、胴体部分の後端からは尻尾部材２１が突設されている。この舌部材１７及び尻尾部材２１は、左右の回転足部材３１，３２の動作に合わせて揺動動作されるものである。
【００１９】
次に、図２〜図４に基づいて、駆動機構３０について説明する。図２に示すように、駆動機構３０は、左側板４１及び右側板４２が所定の間隔で図示しないボス等により組み合わされて、駆動機構３０の筐体として形成されている。この筐体の上部には、回転駆動力を出力する駆動源とされるモータ４３が設けられている。モータ４３の下方には、モータ４３の電源とされるバッテリーケース４４が設けられる。モータ４３及びバッテリーケース４４は、左側板４１及び右側板４２に適宜固定されている。
【００２０】
モータ４３の回転軸には、ウォームギア３３が固定されている。ウォームギア３３の下方には、ウォームギア３３と歯合するウォームホイール３４が設けられている。ウォームホイール３４は、クラッチ手段３５を介してピニオンギア３６と連結されている。左側板４１及び右側板４２間には、左側板４１と右側板４２に軸支される支持軸３７が回転自在に設けられている。ピニオンギア３６は支持軸３７に固定される。ウォームホイール３４は支持軸３７に対して軸方向に移動自在であって回転自在に軸支されている。
【００２１】
クラッチ手段３５は、ウォームホイール３４に固定される駆動源側部材３５ａと、ピニオンギア３６に固定されるギア側部材３５ｂと、コイルばね３５ｃとによりなる。駆動源側部材３５ａは、支持軸３７に対して軸方向に移動自在であって回転自在に軸支されている。駆動源側部材３５ａの端面には、断面三角形状の突起３５ａ１が側面視十字状に形成されている。一方、ギア側部材３５ｂは支持軸３７に固定される。ギア側部材３５ｂの端面には、突起３５ａ１と対応して、この突起３５ａ１が係合する十字状の溝３５ｂ１が形成されている。
【００２２】
そして、ウォームホイール３４と左側板４１との間には、支持軸３７の外周に巻回されるコイルばね３５ｃが設けられている。コイルばね３５ｃにより、駆動源側部材３５ａはウォームホイール３４とともにピニオンギア３６側に付勢されている。定常状態では、突起３５ａ１と溝３５ｂ１が係合し、コイルばね３５ｃによりギア側部材３５ｂに駆動源側部材３５ａが押しつけられることとなる。従って、モータ４３の回転駆動力は、ウォームホイール３４からクラッチ手段３５を介してピニオンギア３６へ伝達される。
【００２３】
一方、何らかの原因で左右の回転足部材３１，３２の動作を強制的に止められて、ピニオンギア３６の回転が阻止されてしまった場合には、コイルばね３５ｃの付勢力に抗して突起３５ａ１が溝３５ｂ１を乗り越えて両者の係合が解除される。これにより、ウォームホイール３４及び駆動源側部材３５ａは空回りするので、モータ４３の過負荷が防止される。
【００２４】
なお、本実施形態においては、クラッチ手段３５を突起３５ａ１と溝３５ｂ１の係合により構成したが、その他のクラッチ手段、例えば摩擦板を用いたクラッチ手段とすることもできる。
【００２５】
ピニオンギア３６の下方には、ピニオンギア３６と歯合する第１ギア３８が設けられている。第１ギア３８は、右側板４２により回転自在に軸支されている。第１ギア３８の前方寄りの下方には、第１ギア３８と歯合する第２ギア３９が設けられている。第２ギア３９は、左側板４１及び右側板４２間に渡って回転自在に設けられる歩行用回転軸４５に固定されている。
【００２６】
このようにして、ウォームギア３３，ウォームホイール３４，クラッチ手段３５，ピニオンギア３６，支持軸３７，第１ギア３８，第２ギア３９により、駆動源とされるモータ４３の回転駆動力を伝達する動力伝達部が形成されている。
【００２７】
歩行用回転軸４５は、左側板４１及び右側板４２により回転自在に軸支されている。なお、左側板４１による歩行用回転軸４５の支持は、図４に示すように、左側板４１の切欠き部に挿入されるプレート４１ａによりカム部６０外周が支持されることで軸支される。そして、図２に示すように、歩行用回転軸４５の両端であって、左側板４１及び右側板４２の外側には、左回転足部材３１及び右回転足部材３２がそれぞれ設けられている。左回転足部材３１は、後述の回転位置調節手段５０を介して歩行用回転軸４５と固定される。一方、右回転足部材３２は、歩行用回転軸４５に直接固定されている。左回転足部材３１及び右回転足部材３２それぞれの外側には、歩行用回転軸４５と固定される左リテーナ３１ａ及び右リテーナ３２ａが設けられ、左右の回転足部材３１，３２の抜け止めが施されている。
【００２８】
左右の回転足部材３１，３２の外形形状は、図３及び図４に示すように、円盤状の基部３１ｂ，３２ｂと、この基部３１ｂ，３２ｂから歩行用回転軸４５の軸心に対して垂直方向に突出して形成されて歩行面と接する足部３１ｃ，３１ｄ，３２ｃ，３２ｄとからなる。そして、足部３１ｃ，３２ｃと足部３１ｄ，３２ｄは、それぞれ歩行用回転軸４５の軸心に対して対向して二箇所に形成されている。このようにして形成される左右の回転足部材３１，３２は、歩行用回転軸４５により回転される。
【００２９】
すなわち、モータ４３から回転駆動力がモータ軸を介して出力されると、ウォームギア３３は回転される。すると、ウォームギア３３と歯合するウォームホイール３４が回転される。そして、クラッチ手段３５を介してウォームホイール３４と同軸に連結されるピニオンギア３６が回転される。ピニオンギア３６の回転駆動力は、ピニオンギア３６と歯合する第１ギア３８に伝達される。そして、第１ギア３８の回転により、第１ギア３８と歯合する第２ギア３９が回転される。第２ギア３９が回転されると、歩行用回転軸４５及び左右の回転足部材３１，３２が回転される。
【００３０】
なお、歩行用回転軸４５及び左右の回転足部材３１，３２の回転方向は、図３及び図４の矢印で示す方向に回転するよう動力伝達部及びモータ４３は構成されている。従って、歩行玩具１０は、歩行面に対して、対向する左右それぞれの足部３１ｃ，３２ｃと足部３１ｄ，３２ｄが交互に当接して歩行する。そして、一方の足部３１ｃ，３２ｃが歩行玩具１０の胴体部分から外部に露出されている状態である場合には、他方の足部３１ｄ，３２ｄが歩行玩具１０の胴体部分に収納されて隠蔽される状態となる。従って、歩行玩具１０の外部からは、常に左右の前足がそれぞれ一本ずつ出ているように見えるので、違和感のない歩行玩具１０とすることができる。
【００３１】
次に、回転位置調節手段５０について説明する。回転位置調節手段５０は、左回転足部材３１の内側に設けられ、左右の回転足部材３１，３２の歩行用回転軸４５回りの回転位置を相対的に調節するよう形成されている。具体的には、左回転足部材３１の内側における歩行用回転軸４５の回りに、歩行用回転軸４５の軸心に対して垂直方向内向きに複数の凹凸部が連続して形成される環状凹凸部５１が設けられる。環状凹凸部５１の凹部は１２個形成されている。環状凹凸部５１の内側には、歩行用回転軸４５に固定される略円板状の係合部材５２が設けられている。
【００３２】
係合部材５２は、その外周から外方に向けて突出される係合突部５２ａが歩行用回転軸４５に対して対向して２箇所に設けられている。係合部材５２における各係合突部５２ａの内側には、各係合突部５２ａを歩行用回転軸４５の軸心に対して垂直外方に弾発するよう穴部５２ｂが設けられている。よって、各係合突部５２ａは、環状凹凸部５１の凹部と係合される。なお、係合部材５２を樹脂材料により形成すれば、各穴部５２ｂによる各係合突部５２ａの弾発がより好適に行われる。
【００３３】
このように形成される回転位置調節手段５０により、右回転足部材３２に対する左回転足部材３１の回転位置を調節することができる。具体的には、右回転足部材３２を一方の手で押さえるようにして歩行用回転軸４５を固定する。そして、他方の手で左回転足部材３１を歩行用回転軸４５回りに回動させる。すると、各穴部５２ｂによる弾発力に抗して各係合突部５２ａは環状凹凸部５１の凸部を乗り越えて、隣接する凹部と係合する。そして、環状凹凸部５１の凹部は１２個形成されているので、左回転足部材３１は、３０度ずつ回動させることができる。
【００３４】
ここで、図５に、左右の回転足部材３１，３２の回転位置が調節される様子を示す。図５（ａ）は、左右の回転足部材３１，３２が位相差なく回転位置を揃えられた状態を示す。図５（ｂ）は、図５（ａ）の状態から各係合突部５２ａと環状凹凸部５１の凹部との係合を一つずらした状態を示す。この場合、左右の回転足部材３１，３２は、３０度の位相差となる。図５（ｃ）は、図５（ｂ）の状態から二つずらした状態を示す。この場合、左右の回転足部材３１，３２は９０度の位相差となる。
【００３５】
図５（ａ）のように、左右の回転足部材３１，３２が位相差なく回転位置を揃えられた状態で歩行玩具１０を歩行させた場合には、左右の前足を揃えたパドリングをするように左右の回転足部材３１，３２は回転される。すると、歩行玩具１０は、前足で飛び跳ねるようにして歩行する。図５（ｂ）のように、左右の回転足部材３１，３２が３０度の位相差で回転位置が設定された場合には、左回転足部材３１の足部３１ｃ（３１ｄ）に続けて右回転足部材３２の足部３２ｃ（３２ｄ）が歩行面に接地される。すると、歩行玩具１０は、ギャロップ動作をするように動作して、後から接地する足部３２ｃ（３２ｄ）の方向、すなわち右側に旋回する。
【００３６】
なお、図５（ｂ）に示した３０度の位相差でなく、６０度の位相差とすれば旋回半径を大きくすることができる。さらに、位相差を変更して右回転足部材３２の足部３２ｃ，３２ｄに続けて左回転足部材３１の足部３１ｃ，３１ｄを接地するようにして左側に旋回させることもできる。
【００３７】
さらに、図５（ｃ）のように、左右の回転足部材３１，３２が９０度の位相差で回転位置が設定された場合には、左右の足部３１ｃ，３１ｄ，３２ｃ，３２ｄが交互に歩行面に接地される。すると、歩行玩具１０は、体を大きく左右に揺らしながら歩行することとなる。このようにして、歩行玩具１０は、歩行する様子を変化させることができる。
【００３８】
また、左回転足部材３１の内側面における環状凹凸部５１の外周には、図４に示すように、カム部６０が設けられている。カム部６０は、対向して二箇所に形成される側面視三角形状の第１カム部６１と、対向して四箇所に形成される側面視三角形状の第２カム部６２とによりなる。図２に示すように、第１カム部６１の内側端面は、環状凹凸部５１の内側端面と同一面を形成している。第２カム部６２は、第１カム部６１における左回転足部材３１の内側面からの厚みの半分程度の厚みとされている。
【００３９】
ここで、図６は、駆動機構３０に修飾部材である舌部材１７や尻尾部材２１及び作動杆を組み付けた状態を示す上面図である。図６に示すように、駆動機構３０の後方側の左側板４１と右側板４２間には、回動筒部６４が設けられている。回動筒部６４は円筒状に形成されており、内部に支点軸が挿通されている。この支点軸は、左側板４１と右側板４２に渡って固定される固定支点６４ａ（図３，図４参照）として形成されている。従って、回動筒部６４はこの固定支点６４ａ回りに回動自在とされている。そして、この回動筒部６４の中央部に修飾部材とされる尻尾部材２１が固定されている。
【００４０】
回動筒部６４の左側板４１側の端部には、前後方向に長尺状に形成される第１作動杆６３が設けられている。第１作動杆６３の端部には第１カムフォロア６３ａが形成されている。第１カム部６１は第２カム部６２よりも左回転足部材３１の内側面から大きく突出しているので、第１カムフォロア６３ａは第２カム部６２とは当接せずに、第１カム部６１とのみ当接する。
【００４１】
このようにして、図４に示すように、第１作動杆６３には、固定支点６４ａを挟んで一方端側に修飾部材とされる尻尾部材２１が設けられ、他端側には第１カム部６１と当接する第１カムフォロア６３ａが設けられることとなる。すなわち、尻尾部材２１と第１作動杆６３は、固定支点６４ａを中心として搖動自在に形成される。そして、第１作動杆６３の長尺方向の中心位置よりカム部６０側の上側の側面からは、湾曲延設部６３ｂが上方に向けて湾曲して延設される。そして、第１作動杆６３は、第１カムフォロア６３ａが第１カム部６１に上方側から当接されるように、第１カムフォロア６３ａ側が重くなるように形成されている。
【００４２】
同様に、図６に示すように、駆動機構３０の前方側の左側板４１と右側板４２間には、円筒状に形成される回動筒部６６が設けられている。回動筒部６６の内部には、左側板４１と右側板４２間で固定される支点軸である固定支点６６ａが挿通されている（図３、図４参照）。回動筒部６６は固定支点６６ａ回りに回動自在に設けられる。そして、この回動筒部６６の中央部に修飾部材である舌部材１７が固定されている。
【００４３】
回動筒部６６の左側板４１側の端部には、第２作動杆６５が前後方向長尺状に形成されている。第２作動杆６５の端部には、外方向に向けてピン状に第２カムフォロア６５ａが形成されている。そして、第２作動杆６５を上方に付勢するばね等を設けて、第２カムフォロア６５ａを第１カム部６１及び第２カム部６２の下方側から当接させる。このようにして、第２作動杆６５には、固定支点６６ａを挟んで一方端側に修飾部材とされる舌部材１７が設けられ、他端側には第１カム部６１及び第２カム部６２と下方側から当接する第２カムフォロア６５ａが設けられる。
【００４４】
舌部材１７及び尻尾部材２１の動作は、図４の矢印方向に左回転足部材３１が回転すると、二箇所の第１カム部６１により第１作動杆６３の第１カムフォロア６３ａを介して第１作動杆６３は搖動運動される。一方、第２カムフォロア６５ａは第１カム部６１及び第２カム部６２の両者と当接されて、第２作動杆６５は搖動運動される。すなわち、尻尾部材２１は、歩行用回転軸４５が１８０度回転する毎に搖動される。舌部材１７は、歩行用回転軸４５が６０度回転する毎に搖動される。
【００４５】
このようにして、修飾部材とされる舌部材１７と尻尾部材２１は、異なるタイミングで搖動されるので、歩行玩具１０で遊ぶ幼児はより一層楽しむことができる。また、歩行玩具１０の臀部と尻尾部材２１を床面に接地させ、前足を浮かせるようにして歩行玩具１０を着座姿勢とすれば、尻尾部材２１の搖動により体を前後に振動させながら、左右の回転足部材３１，３２を回転させ、舌部材１７を搖動させることもできる。この場合には、歩行玩具１０に、いわゆる「チンチン動作」をさせて遊ぶことができる。
【００４６】
さらに、図４に示すように、湾曲延設部６３ｂの下方の第１作動杆６３には、第１作動杆６３の下側から下方に延設される電源用延設部６３ｃが形成されている。そして、図６にも示すように、電源用延設部６３ｃには、右側板４２側に向けて突出する押圧突起６３ｃ１が設けられている。
【００４７】
一方、バッテリーケース４４の後端部には蓋部４４ａが形成されている。そして、バッテリーケース４４の左側板４１側には、固定プレート４４ｂが形成されている。そして、図４及び図６に示すように、バッテリーケース４４の左側板４１側には、蓋部４４ａ及び固定プレート４４ｂに挿通される導通ピン４７が設けられている。後述するように、導通ピン４７の蓋部４４ａ側の先端部は、蓋部４４ａ内の板バネ状に形成されたバッテリー接点４４ｃに当接可能に形成される。そして、モータ４３は、導通ピン４７がバッテリー接点４４ｃに接触した場合にのみ電源が供給される。
【００４８】
図６に示すように、導通ピン４７には、後方側（図６の上側）にワッシャ４７ａが固定され、前方（図６の下側）端部近傍にワッシャ４７ｂが固定されている。そして、固定プレート４４ｂとワッシャ４７ａとの間には、導通ピン４７の外周に巻回されるコイルばね４８が設けられている。コイルばね４８により、導通ピン４７は後方側（図６の上側）に向けて付勢されている。
【００４９】
ここで、図４に示すように、第１作動杆６３の上側の側面から延設される湾曲延設部６３ｂは、前方側の側面に突起６３ｂ１が前方に向けて突設される。また、湾曲延設部６３ｂは、穴部６３ｂ２が形成されている。この穴部６３ｂ２により、突起６３ｂ１は弾発される。そして、突起６３ｂ１が移動する軌道上の左側板４１の内側面上には、係止部６７が形成されている。従って、尻尾部材２１を下方に押し下げると、突起６３ｂ１は係止部６７を乗り越えて係止される。なお、湾曲延設部６３ｂを樹脂材料に形成することにより、穴部６３ｂ２による突起６３ｂ１の弾発が好適に行われる。
【００５０】
歩行玩具１０は、この尻尾部材２１及び第１作動杆６３の係止と連動して、モータ４３への電源の供給が入切される。すなわち、図７（ａ）に示すように、突起６３ｂ１が係止部６７に係止されていない状態の場合には、コイルばね４８の付勢力により、導通ピン４７はバッテリーケース４４内の蓋部４４ａのバッテリー接点４４ｃに当接される。このとき、バッテリーケース４４のバッテリーから電源がモータ４３に供給される。
【００５１】
一方、尻尾部材２１を押し下げて、図７（ｂ）に示すように突起６３ｂ１を係止部６７に係止させると、電源用延設部６３ｃは上昇し、押圧突起６３ｃ１は後方側（図７の左側）からワッシャ４７ｂと当接する。すると、導通ピン４７は、コイルばね４８の付勢力に抗して前方側（図７の右側）へ押し出される。このとき、導通ピン４７はバッテリー接点４４ｃから離隔され、電源の導通が解除され、バッテリーケース４４のバッテリーからモータ４３への電源供給が遮断される。
【００５２】
このようにして、尻尾部材２１により、歩行玩具１０の電源の入切を行うことができるので、歩行玩具１０の胴体部分等の外面に電源スイッチを別途設ける必要がない。従って、動物を模した歩行玩具１０の外観を損なうことなく電源操作が可能である。
【００５３】
以上、本考案の実施形態を説明したが、本考案は以上の実施形態によって限定されることはなく、種々の態様で実施することができる。例えば、本実施形態においては駆動源としてモータ４３を用いたが、他の駆動源、例えばゼンマイを用いることもできる。また、駆動源からの回転駆動力を伝達する動力伝達部は、モータ４３の回転数や能力に応じて、ギアの数を増減させることができる。また、環状凹凸部５１の凹凸の個数は１２個に限られず、適宜変更することができる。
【００５４】
また、図１における歩行玩具１０の目にＬＥＤ等の発光素子を内蔵させて、この発光素子のスイッチング素子をカム部６０と連動させて、歩行に合わせて目を点滅させるようにすることもできる。さらに、カム部６０により従動される部材は、舌部材１７や尻尾部材２１の他、耳や鼻等も従動させるよう構成することもできる。
【符号の説明】
【００５５】
１０        歩行玩具                    １１        後足
１７        舌部材                      ２１        尻尾部材
３０        駆動機構                    ３１        左回転足部材
３１ａ      左リテーナ                  ３１ｂ      基部
３１ｃ      足部                        ３１ｄ      足部
３２        右回転足部材                ３２ａ      右リテーナ
３２ｂ      基部                        ３２ｃ      足部
３２ｄ      足部                        ３３        ウォームギア
３４        ウォームホイール            ３５        クラッチ手段
３５ａ      駆動源側部材                ３５ａ１    突起
３５ｂ      ギア側部材                  ３５ｂ１    溝
３５ｃ      コイルばね                  ３６        ピニオンギア
３７        支持軸                      ３８        第１ギア
３９        第２ギア                    ４１        左側板
４１ａ      プレート                    ４２        右側板
４３        モータ                      ４４        バッテリーケース
４４ａ      蓋部                        ４４ｂ      固定プレート
４４ｃ      バッテリー接点              ４５        歩行用回転軸
４７        導通ピン                    ４７ａ      ワッシャ
４７ｂ      ワッシャ                    ４８        コイルばね
５０        回転位置調節手段
５１        環状凹凸部                  ５２        係合部材
５２ａ      係合突部                    ５２ｂ      穴部
６０        カム部                      ６１        第１カム部
６２        第２カム部                  ６３        第１作動杆
６３ａ      第１カムフォロア            ６３ｂ      湾曲延設部
６３ｂ１    突起                        ６３ｂ２    穴部
６３ｃ      電源用延設部                ６３ｃ１    押圧突起
６４        回動筒部                    ６４ａ      固定支点
６５        第２作動杆
６５ａ      第２カムフォロア            ６６        回動筒部
６６ａ      固定支点                    ６７        係止部
【図１】
0003195058.tif 000003
【図２】
0003195058.tif 000004
【図３】
0003195058.tif 000005
【図４】
0003195058.tif 000006
【図５】
0003195058.tif 000007
【図６】
0003195058.tif 000008
【図７】
0003195058.tif 000009